(57)【要約】【課題】観音開き式の扉の仕切り体を簡単に密着させることができる貯蔵庫を提供する。【解決手段】観音開き式の扉２４，２６の相対向する部分に設けられた仕切り体５６，５８が、左扉２４と右扉２６に設けられた左内ガスケット３６と右内ガスケット４６にそれぞれ固定されている。【選択図】      図２
2018059712.tif 000002
【特許請求の範囲】
【請求項１】
キャビネットに設けられた貯蔵室と、
前記貯蔵室に設けられた観音開き式の左右一対の扉と、
左右一対の前記扉が相対向する前記扉の裏面の縦辺に設けられた左右一対の縦弾性部材と、
左右一対の縦弾性部材の裏面にそれぞれ取り付けられ、左右一対の前記扉の隙間を塞ぐ左右一対の仕切り体と、
を有する貯蔵庫。
【請求項２】
前記縦弾性部材が、前記扉の裏面に取り付けられた縦ガスケットである、
請求項１に記載の貯蔵庫。
【請求項３】
前記仕切り体に縦溝が設けられ、
前記縦ガスケットの縦方向に突条が設けられ、
前記突条を前記縦溝に係合させて、前記縦ガスケットに前記仕切り体が取り付けられている、
請求項２に記載の貯蔵庫。
【請求項４】
前記縦ガスケットの本体の横断面形状が、前記扉の裏面の上辺と下辺にそれぞれ設けられた上ガスケットの本体と下ガスケットの本体の横断面形状と同一である、
請求項３に記載の貯蔵庫。
【請求項５】
前記突条の横断面形状がＴ字状であり、
前記縦溝の横断面形状が前記突条に対応したＴ字状である、
請求項４に記載の貯蔵庫。
【請求項６】
左右一対の前記仕切り体の相対向する縦面に板状の閉扉磁石がそれぞれ設けられ、
左右一対の閉扉磁石は、閉扉状態で左右一対の前記仕切り体を磁着させる、
請求項１に記載の貯蔵庫。
【請求項７】
前記閉扉磁石の上端部又は下端部の少なくとも一方が、斜め形状に形成されている、
請求項６に記載の貯蔵庫。
【請求項８】
前記閉扉磁石は、前記仕切り体に形成された磁石挿入部に挿入され、
前記磁石挿入部又は前記磁石挿入部の周囲の材質が、軟質部材によって形成されている、
請求項６に記載の貯蔵庫。
【請求項９】
前記扉の裏面の四周から額縁状の突壁が突出し、
前記突壁の側壁に沿って前記仕切り体が配され、
前記突壁の側壁と対向する前記仕切り体の縦面に板状の開扉磁石が設けられ、
前記開扉磁石は、開扉状態で前記仕切り体を前記突壁の前記側面に磁着させる、
請求項６に記載の貯蔵庫。
【請求項１０】
前記開扉磁石は前記閉扉磁石より短い、
請求項９に記載の貯蔵庫。
【請求項１１】
開扉時に左右一対の前記仕切り体の前記閉扉磁石を引き剥がすと共に、閉扉時に前記仕切り体の前記開扉磁石と前記突壁の前記側壁とを引き剥がす引き剥がし片が、前記貯蔵室の天井面に設けられている、
請求項９に記載の貯蔵庫。
【請求項１２】
前記引き剥がし片が、左右一対の前記仕切り体の合わさる位置に設けられた中引き剥がし片であり、開扉時に左右一対の前記仕切り体の前記閉扉磁石を引き剥がす、
請求項１１に記載の貯蔵庫。
【請求項１３】
前記引き剥がし片が、閉扉状態において前記閉扉磁石と前記突壁の前記側面との間の位置にそれぞれ設けられた左右一対の引き剥がし片であり、閉扉時に左右一対の前記仕切り体の前記開扉磁石を前記突壁の前記側壁からそれぞれ引き剥がす
請求項１１に記載の貯蔵庫。
【請求項１４】
左右一対の前記引き剥がし片が、閉扉状態において左右一対の前記仕切り体を密着させるように押しつける、
請求項１３に記載の貯蔵庫。
【請求項１５】
左右一対の前記縦ガスケットの相対向する位置から縦方向に縦ヒレ片がそれぞれ突出している、
請求項２に記載の貯蔵庫。
【請求項１６】
前記縦ヒレ片の位置と対応する前記仕切り体の位置に、前記縦ヒレ片が退避する退避凹部が設けられている、
請求項１５に記載の貯蔵庫。
【請求項１７】
前記縦ヒレ片は、前記縦ガスケットの上部と下部からそれぞれ突出し、
前記退避凹部も前記仕切り体の上部と下部にそれぞれ設けられている、
請求項１６に記載の貯蔵庫。
【請求項１８】
前記仕切り体は、仕切り体本体と上部材と下部材を有し、
前記仕切り体本体の上部に前記上部材が取り付けられ、
前記仕切り体本体の下部に前記下部材が取り付けられている、
請求項１７に記載の貯蔵庫。
【請求項１９】
前記仕切り体本体と前記上部材との間に上側の横ヒレ片が挟まれ、
前記仕切り体本体の前記下部材との間に下側の横ヒレ片が挟まれ、
前記上側の縦ヒレ片と前記上側の横ヒレ片とが当接し、
前記下側の縦ヒレ片と前記下側の横ヒレ片とが当接している、
請求項１８に記載の貯蔵庫。
【請求項２０】
前記扉の裏面の突壁後部から縦方向に遮蔽板がそれぞれ設けられ、前記仕切り体を覆っている、
請求項９に記載の貯蔵庫。
【請求項２１】
前記仕切り体に設けられた係合突部と前記遮蔽板に設けられた係合孔とが係合するか、又は、前記仕切り体に設けられた係合孔と前記遮蔽板に設けられた係合突部とが係合し、
前記扉に対する前記仕切り体の上下方向の移動を、前記係合孔の縦方向の寸法内に規制する、
請求項２０に記載の貯蔵庫。
【請求項２２】
前記係合突部と前記係合孔との係合によって、前記扉に対する前記仕切り体の左右方向の移動を、前記係合孔の横方向の寸法内に規制する、
請求項２１に記載の貯蔵庫。
【請求項２３】
前記係合突部と前記係合孔とが、前記仕切り体の上部と前記遮蔽板の上部にそれぞれ設けられている、
請求項２１に記載の貯蔵庫。
【請求項２４】
キャビネットに設けられた貯蔵室と、
前記貯蔵室に設けられた観音開き式の左右一対の扉と、
左右一対の前記扉が相対向する前記扉の裏面の縦辺に設けられた左右一対の連結部材と、
左右一対の前記連結部材にそれぞれ取り付けられ、左右一対の前記扉の隙間を塞ぐ左右一対の仕切り体と、
を有し、
前記連結部材の一端が前記扉の裏面に回動自在に取り付けられ、
前記連結部材の他端が前記仕切り体に回動自在に取り付けられている、
貯蔵庫。
【発明の詳細な説明】
【技術分野】
【０００１】
本発明の実施形態は、観音開き式の扉を使用した貯蔵庫に関するものである。
【背景技術】
【０００２】
近年の冷蔵庫の大型化により、観音開き式の扉を使用した冷蔵庫が増えている。この観音開き式の扉の場合には、左右の扉の間から冷気が漏れないようにするために、仕切り体を設ける必要がある。
【０００３】
この仕切り体の構造としては、例えば、回転式の柱状の仕切り体を片側の扉に配置し、仕切り体の回転途中に中立点があるバネにより、仕切り体を起こしたり倒したりして、回転途中で止まらないようにしている。
【０００４】
しかし、この構造であると、バネによる中立点を超えるための力が必要となり、仕切り体を取り付けている側の扉を開閉するのに必要な力が、反対側の扉より大きくなる。また、仕切り体を取り付けていない側の扉だけを開けると、開けていない扉から仕切り体がはみ出し、庫内から食品を取り出すのに邪魔になる場合がある。
【０００５】
また、この仕切り体がない構造としては、左右の扉の相対向するガスケットの磁石を直接磁着させ、開扉時にラッチにより磁石を引き剥がしたり、扉全体を左右に移動させて磁石を引き剥がすものがある。
【先行技術文献】
【特許文献】
【０００６】
【特許文献１】特許第４６０８８４０号公報
【特許文献２】特開２００５−３３７６８０号公報
【発明の概要】
【発明が解決しようとする課題】
【０００７】
左右の扉のガスケットの磁石を直接磁着させる構造の場合、閉扉直前では磁石同士が反発するため、ゆっくり閉じると扉が完全に閉じない可能性がある。このため、ガスケットを扉回転法線方向に移動させて反発を避ける必要があるが、向かい合う辺のガスケットは、扉の上下にあるガスケットと繋がっているため、十分に移動させることが困難である。
【０００８】
また、開扉時には磁着している２つの磁石を磁力と直交する方向にずらす必要があり、反対側の扉が共に開き、それを防ぐために扉を保持する力が必要で結果的に開扉力が大きくなる。
【０００９】
また、ラッチをハンドルで解除する構造や扉全体を左右にずらす構造であると、その構造が大掛かりとなる。
【００１０】
そこで、本発明の実施形態は上記問題点に鑑み、観音開き式の扉の仕切り体を簡単に密着させることができる貯蔵庫を提供することを目的とする。
【課題を解決するための手段】
【００１１】
本実施形態は、キャビネットに設けられた貯蔵室と、前記貯蔵室に設けられた観音開き式の左右一対の扉と、左右一対の前記扉が相対向する前記扉の裏面の縦辺に設けられた左右一対の縦弾性部材と、左右一対の縦弾性部材の裏面にそれぞれ取り付けられ、左右一対の前記扉の隙間を塞ぐ左右一対の仕切り体と、を有する貯蔵庫である。
【００１２】
また、本実施形態は、キャビネットに設けられた貯蔵室と、前記貯蔵室に設けられた観音開き式の左右一対の扉と、左右一対の前記扉が相対向する前記扉の裏面の縦辺に設けられた左右一対の連結部材と、左右一対の前記連結部材にそれぞれ取り付けられ、左右一対の前記扉の隙間を塞ぐ左右一対の仕切り体と、を有し、前記連結部材の一端が前記扉の裏面に回動自在に取り付けられ、前記連結部材の他端が前記仕切り体に回動自在に取り付けられている、貯蔵庫である。
【図面の簡単な説明】
【００１３】
【図１】実施形態１の冷蔵庫の正面図。
【図２】閉扉状態の左右一対の仕切り体の横拡大断面図。
【図３】左側の仕切り体の斜視図。
【図４】左右一対の扉を閉めた状態の裏面を斜め後方から見た斜視図。
【図５】右扉の裏面を斜め後方から見た斜視図。
【図６】左扉の裏面を右斜め後方から見た斜視図。
【図７】左扉の裏面を左斜め後方から見た斜視図。
【図８】左側の仕切り体本体に上部材を取り付けようとしている状態の斜視図。
【図９】左側の仕切り体本体に上部材を取り付けた状態の斜視図。
【図１０】左右一対の閉扉磁石の斜視図。
【図１１】左右一対の扉を取り除いた状態の冷蔵室の斜視図。
【図１２】引き剥がし部材を下方から見た斜視図。
【図１３】左扉の仕切り体の拡大横断面図。
【図１４】左右一対の扉を閉めた状態の横断面図。
【図１５】左扉を少し開けようとしている状態の横断面図。
【図１６】左扉をさらに開けようとしている状態の横断面図。
【図１７】左扉を開けた状態の横断面図。
【図１８】実施形態２の左右一対の扉の仕切り体の拡大横断面図。
【発明を実施するための形態】
【００１４】
本実施形態の貯蔵庫について図面に基づいて説明する。
【実施形態１】
【００１５】
実施形態１の貯蔵庫は冷蔵庫１０であり、この冷蔵庫１０について図１〜図１７に基づいて説明する。
【００１６】
（１）冷蔵庫１０の構造
冷蔵庫１０の構造について図１に基づいて説明する。図１は冷蔵庫１０の正面図である。冷蔵庫１０のキャビネット１２には、上から順番に冷蔵室１４、野菜室１６、製氷室１８、大型の冷凍室２２が設けられ、製氷室１８の右側には小型の冷凍室２０が設けられている。冷蔵室１４の前面には、左右一対の観音開き式の扉２４，２６が設けられ、野菜室１６、製氷室１８、小型の冷凍室２０、大型の冷凍室２２にはそれぞれ引き出し式の扉１６ａ、１８ａ、２０ａ、２２ａが設けられている。
【００１７】
冷蔵室１４の左扉２４は、左側が不図示のヒンジ部によって回動自在に支持され、左扉２４の裏面には、額縁状の突壁２８が後方へ突出している。この額縁状の突壁２８内部にドアポケットなどが形成されている。左扉２４の裏面であって、額縁状の突壁２８の外周部には、左上ガスケット３０、左外ガスケット３２、左下ガスケット３４、左内ガスケット３６が額縁状に一体に取り付けられている。
【００１８】
右扉２６も、その右側が不図示のヒンジ部によって回動自在に支持され、右扉２６の裏面には、額縁状の突壁３８が後方へ突出している。この額縁状の突壁３８の内部にドアポケットなどが形成されている。右扉２６の裏面であって、額縁状の突壁３８の外周部には、右上ガスケット４０、右外ガスケット４２、右下ガスケット４４、右内ガスケット４６が額縁状に一体に取り付けられている。左内ガスケット３６と右内ガスケット４６が相対向する位置に設けられている。
【００１９】
左扉２４の右側上部に対応するキャビネット１２の天井面には、左扉２４をソレノイドで押圧して開ける開扉装置４８が設けられている。また、右扉２６の左側上部に対応するキャビネット１２の天井面にも右扉２６を押圧して開ける開扉装置５０が設けられている。左側の開扉装置４８は、左扉２４の下部にあるスイッチ５２をタッチすれば動作し、右側の開扉装置５０は、右扉２６の下部にあるスイッチ５４をタッチすれば動作する。
【００２０】
左扉２４の右側と右扉２６の左側には、左扉２４と右扉２６が閉扉状態でその隙間を塞ぐ左右一対の仕切り体５６，５８が設けられている。仕切り体５６，５８については後から詳しく説明する。
【００２１】
（２）ガスケット
左扉２４に設けられた左上ガスケット３０、左外ガスケット３２、左下ガスケット３４、左内ガスケット３６について説明する。
【００２２】
図２に示すように、左内ガスケット（左側の縦ガスケット）３６は、弾性を有する合成樹脂からなる縦方向の筒体であって、表面の縦方向に沿って横断面Ｔ字状の突条６０が設けられ、裏面の縦方向に沿って横断面Ｔ字状の突条６２が設けられている。また、この裏面には縦長の磁石を挿入するための磁石挿入部６４が設けられているが、磁石は収納されていない。図２と図９に示すように、左内ガスケット３６の左側面の上部と下部にはそれぞれ縦ヒレ片６６が一体に設けられている。
【００２３】
左上ガスケット３０、左外ガスケット３２、左下ガスケット３４も左内ガスケット３６と同様に弾性のある合成樹脂よりなる筒体であって、表面に横断面Ｔ字状の突条６０が設けられ、裏面側には磁石の磁石挿入部６４が設けられている。但し、左内ガスケット３６のように突条６２と縦ヒレ片６６は設けられていない。そして、この左上ガスケット３０、左外ガスケット３２、左下ガスケット３４、左内ガスケット３６は、額縁状に一体に接合され、左扉２４の裏面の突壁２８の外周部にある額縁状の溝６８に、横断面Ｔ字状の突条６０が挿入されて、左扉２４の裏面に固定されている。また、磁石挿入部６４には、閉扉時にキャビネット１２と磁着する磁石が挿入されている。
【００２４】
右扉２６の右上ガスケット４０、右外ガスケット４２、右下ガスケット４４、右内ガスケット（右側の縦ガスケット）４６も、左扉２４の各ガスケットと左右対称に形成されている。
【００２５】
（３）仕切り体５６，５８
左側の仕切り体５６について図２と図３に基づいて説明する。
【００２６】
図２と図３に示すように左側の仕切り体５６は縦方向に長く、左内ガスケット３６に取り付けられている。左側の左仕切り体５６は、筒状の仕切り体本体７０と、仕切り体本体７０の上部と下部にそれぞれ取り付けられる上部材７２と下部材７４を有する。
【００２７】
図２に示すように、仕切り体本体７０の前面は平らな面であり、左内ガスケット３６の突条６２が係合する縦溝７６が縦方向に設けられている。右側面の前部には、左内ガスケットの縦ヒレ片６６が退避するための退避凹部８２が設けられている。右側面の中央部の平らな面には、縦長の閉扉磁石７８を挿入するための磁石挿入部８０が設けられている。右側面の後側は右側から左側に湾曲した曲面をなしている。仕切り体本体７０の左側面の後部も平らな面が形成され、その内側に開扉磁石８６が挿入される磁石挿入部８４が縦方向に設けられている。左側面の中央部には、上部材７２と下部材７４をネジ止めするためのネジ孔８８が設けられている。
【００２８】
図２と図４〜図７に示すように、左扉２４の突壁２８の右側壁９０の後部には、固定板９４が右側壁９０に沿って固定されている。この固定板９４の後端部から遮蔽板９２が左扉２４の前面とほぼ平行に延設されている。固定板９４には、固定磁石９６が縦方向に設けられている。遮蔽板９２の左端部は前方に湾曲し、この湾曲した遮蔽板９２の上部には、図６と図７に示すように矩形状の係合孔９８が開口している。
【００２９】
図１０に示すように、磁石挿入部８０に挿入される縦板状の閉扉磁石７８は、前後でＳ極とＮ極に分かれ、その磁極の位置が判るように上端部と下端部が斜めに切り欠かれている。左側の閉扉磁石７８は、図１０に示すように、前部がＳ極であり、後部がＮ極である。右側の閉扉磁石７８は、これとは逆に前部がＮ極であり、後部がＳ極である。
【００３０】
磁石挿入部８４に挿入される縦板状の開扉磁石８６は、表面と裏面とでＳ極とＮ極に分かれ、その磁極の位置が判るように上端部と下端部が斜めに切り欠かれている。開扉磁石８６は、閉扉磁石７８の１／３の長さである。
【００３１】
固定板９４に挿入される縦板状の固定磁石９６は、表面と裏面とでＳ極とＮ極に分かれ、その磁極の位置が判るように上端部と下端部が斜めに切り欠かれている。固定磁石９６の長さは、閉扉磁石７８の１／３の長さで、開扉磁石８６と同じ長さである。
【００３２】
右側の仕切り体５８も、左側の仕切り体５６と左右対称に形成されている。但し、左側の仕切り体５６と右側の仕切り体５８の閉扉磁石７８，７８が閉扉状態で磁着するようにするために、図２に示すように、左側の閉扉磁石７８の磁極と右側の閉扉磁石７８の磁極とは異なる極になるように配されている。
【００３３】
上部材７２について図３に基づいて説明する。図３は、左側の上部材７２、左側の仕切り体本体７０、左側の下部材７４の斜視図である。左側の上部材７２は、上記したように仕切り体本体７０の上部にネジ止めするものであり、断面形状は左側の仕切り体本体７０と同じ形状である。左側の上部材７２の後部から遮蔽板９２の係合孔９８に挿入される係合突部１００が後方に向かって突出している。上部材７２の下面からは、磁石挿入部８０に挿入される挿入片１１４が突出している。挿入片１１４の下端は閉扉磁石７８の上部に対応して傾斜面であり、上部材７２を仕切り体本体７０に固定すると磁石挿入部８０内部で閉扉磁石が挿入片１１４によって固定される。上部材７２の右側面の上部中央には後から説明する引き剥がし部材１０４の中引き剥がし片１０８が挿入されるガイド凹部１１６が形成されている。右側面の上部前部には、上部の縦ヒレ片６６が退避するための退避凹部８２が形成されている。この退避凹部８２は、ガイド凹部１１６より下部に形成されている。上部材７２と仕切り体本体７０によって挟持されている横ヒレ片１０２は、左内ガスケット３６の上部から突出している縦ヒレ片６６の下部と当接している。右側の上部材７２は、左側の上部材７２と左右対称の形状に形成されている。
【００３４】
下部材７４について図３に基づいて説明する。左側の下部材７４は、上部材７２と上下対称であるが、ガイド凹部１１６、係合突部１００は形成されておらず、下部の縦ヒレ片６６が退避するための退避凹部８２のみが形成されている。右側の下部材７４は、左側の下部材７４と左右対称の形状に形成されている。
【００３５】
上部材７２と下部材７４とによって、仕切り体本体７０に設けられている縦溝７６の上端と下端を閉塞する。上部材７２と仕切り体本体７０の間には、図３、図８に示すように、横ヒレ片１０２が水平に挟持されている。
【００３６】
（４）引き剥がし部材１０４
左右一対の仕切り体５６と仕切り体５８を開扉状態及び閉扉状態に制御する引き剥がし部材１０４について図１１と図１２に基づいて説明する。
【００３７】
図１１と図１２に示すように、冷蔵室１４の天井面の左扉２４と右扉２６が合わさる位置に引き剥がし部材１０４が設けられている。引き剥がし部材１０４は、板状の基台１０６から下方に中引き剥がし片１０８と左右一対の左引き剥がし片１１０と右引き剥がし片１１２が突出している。中引き剥がし片１０８は、図１２に示すように、基台１０６の前部に設けられ、断面が涙型であり、前部ほど先細り形状となっている。左引き剥がし片１１０は基台１０６の後部に設けられ横断面が三角状であり、前部ほど先細り形状である。右引き剥がし片１１２も、左引き剥がし片１１０と左右対称な位置に、かつ、左右対称な形状に形成されている。
【００３８】
（５）仕切り体５６，５８の取り付け方法
次に、仕切り体５６，５８の取り付け方法について説明する。
【００３９】
まず、左扉２４が組み上がると、額縁状の左上ガスケット３０、左外ガスケット３２、左下ガスケット３４、左内ガスケット３６の各突条６０を溝６８に挿入して、各ガスケットを左扉２４の裏面に取り付ける。
【００４０】
次に、仕切り体本体７０の下部に、下部材７４を横ヒレ片１０２を挟んだ状態でネジ止めする。
【００４１】
次に、磁石挿入部８０に板状の閉扉磁石７８を上から挿入し、磁石挿入部８４に開扉磁石８６を挿入する。ここで、Ｓ極とＮ極が間違わないようにするために、閉扉磁石７８の上端部と下端部の傾斜方向及び開扉磁石８６の上端部と下端部の傾斜面を確認して挿入する。
【００４２】
次に、左内ガスケット３６の突条６２に、仕切り体本体７０の縦溝７６を挿入する。
【００４３】
次に、仕切り体本体７０の上部に、上部材７２を横ヒレ片１０２を挟んだ状態でネジ止めする。
【００４４】
次に、固定板９４に固定磁石９６を挿入する。
【００４５】
次に、左扉２４の突壁２８の右側壁９０に遮蔽板９２と固定板９４を固定する。この場合に、遮蔽板９２は固定板９４と一体であるため、固定板９４を突壁２８に差し込んで固定する。このときに、上部材７２の係合突部１００を遮蔽板９２の係合孔９８に係合する。
【００４６】
次に、右扉２６にも同様にして仕切り体５８、固定板９４、遮蔽板９２を固定する。
【００４７】
次に、冷蔵室１４の天井面に引き剥がし部材１０４をネジ止めする。
【００４８】
（６）開扉、閉扉動作
次に、左扉２４を開けるときの動作と閉じるときの動作について図１４〜図１７に基づいて説明する。なお、図１４〜図１７においては、図面を見易くするために、中引き剥がし片１０８、左引き剥がし片１１０、右引き剥がし片１１２のみ断面図とし、その他の部材の断面図におけるハッチングは省略する。
【００４９】
ユーザが、左扉２４を開ける動作について説明する。
【００５０】
まず、図１４に示すように、左扉２４と右扉２６が閉扉状態について説明する。図１４は、左扉２４と右扉２６が閉扉状態にある横断面図である。閉扉状態において、左扉２４と右扉２６の仕切り体５６と右仕切り体５８の閉扉磁石７８，７８同士が磁着し、左扉２４と右扉２６の隙間を密閉している。縦ヒレ片６６は退避凹部８２にその先端が退避している。引き剥がし部材１０４の中引き剥がし片１０８は、左右一対の上部材７２，７２のガイド凹部１１６，１１６の間に位置している。左右一対の左引き剥がし片１１０と右引き剥がし片１１２は、それぞれ仕切り体５６と固定板９４との間に位置し、固定磁石９６と開扉磁石８６が磁着しないように引き剥がしている。
【００５１】
次に、図１５に示すように、ユーザが左側の開扉装置４８のスイッチ５２にタッチすると、開扉装置４８に押圧されて左扉２４が前方に少し押されると、中引き剥がし片１０８の後部が、左右一対の上部材７２のガイド凹部１１６に当接し始める。このときに、左右の仕切り体５６，５８は磁着しているため、左扉２４を開けようとした場合に反対側の右扉２６も引っ張って開けようとしてしまう。左右の仕切り体５６，５８は磁着したままで、図１５に示すように反時計方向に僅かに回転する。しかし、左側の仕切り体５６が回転することで、右側の仕切り体５８と中引き剥がし片１０８のかかりが増すようになり、また、閉扉磁石７８，７８同士を引き剥がす方向の力が加わり易くなる。この２つの作用により、右側の仕切り体５８は左側の仕切り体５６に付いていくことができずに上端で剥がされ、順次下端まで引き剥がされていく。これにより、片側だけの左扉２４をスムーズに開けることができる。
【００５２】
次に、図１６に示すように、開扉装置４８が左扉２４をさらに前方に押すと、中引き剥がし片１０８が左右一対の閉扉磁石７８，７８の磁着状態を引き剥がし、左扉２４が開き易くなる。
【００５３】
次に、図１７に示すように、左扉２４がさらに前方に押されると、開扉側の左側の仕切り体５６と中引き剥がし片１０８はその後も開扉中に干渉し続け、また、左引き剥がし片１１２が上部材７２と固定板９４との間から離れ、左側の仕切り体５６を僅かに倒す方向に移動する。これにより開扉磁石８６と固定磁石９６とが引き合い、開扉中に仕切り体５６を安定した状態で固定できる。また、左側の仕切り体５６が左扉２４の右突壁２８における遮蔽板９２内部に収納される。
【００５４】
左扉２４を閉じる状態について説明する。
【００５５】
まず、図１７の状態からユーザが左扉２４を閉じようとすると、図１６に示すように、固定板９４と仕切り体５６との間に左引き剥がし片１１０が侵入し、固定磁石９６と開扉磁石８６とを引き剥がす。また、中引き剥がし片１０８が上部材７２のガイド凹部１１６に侵入し始める。
【００５６】
次に、図１５に示すように、左引き剥がし片１１０が固定板９４と仕切り体５６との間に完全に挟まり、開扉磁石８６と固定磁石９６が引き剥がされる。また、中引き剥がし片１０８がガイド凹部１１６に侵入し、左右一対の閉扉磁石７８，７８が磁着する。これによって、図１４に示すような閉扉状態となる。上述したように、完全に閉扉状態となる直前に左引き剥がし片１１０と仕切り体５６は接触し、開扉磁石８６と固定磁石９６を引き剥がす。その後、完全に閉扉された状態では左引き剥がし片１１０と仕切体５６は接触せずに、左右の仕切り体５６、５８が磁着した状態を安定して保持する。
【００５７】
右扉２６の開閉動作についても、左扉２４の開閉動作と同様である。
【００５８】
（７）効果
上記実施形態の冷蔵庫１０であると、仕切り体５６，５８はそれぞれ左内ガスケット３６と右内ガスケット４６に取り付けられているため、左扉２４や右扉２６の取り付けばらつきや扉開閉時の周囲形状の変化に合わせて移動する。そして、仕切り体５６は、ヒンジなどの回転軸によって回転するのでなく、弾性のある左内ガスケット３６が延ばされたり縮んだりして移動するので、その移動を簡単にでき、また、扉開閉時の音が低減され、開閉のための力を低減でき、開扉装置４８，５０のソレノイドの勢いを緩めることができる。
【００５９】
また、左右の扉２４，２６に前後の段差がない。これは、左右の閉扉磁石７８，７８は、前部と後部で異極になっているため、前後方向にずれても元へ戻ろうとし、左右の閉扉磁石７８，７８は１ｃｍ以上ずれると磁着しないからである。
【００６０】
また、片側だけ開扉にしたときに、従来のように仕切り体５６，５８の出っ張りが少ない。そのため、冷蔵室１４の下部に設置された部屋（例えばチルド室）に引き出し式の小物ケースが左右に分割して配されている場合に、左右どちらのケースも片側のドアだけ開けた状態で扉と干渉せずに大きく引き出せる設計ができる。
【００６１】
また、従来のように仕切り体５６，５８が起き上がることによって閉扉における不具合が発生しない。すなわち、従来の回転式仕切り体では、扉を開けた勢いで回転仕切りが起き上がってしまい、扉が開いているのに扉が閉じた状態の仕切り体の状態になってしまうことがある。そのため扉をそのまま閉じようとすると反対側のドアに当たって閉じることができない。これに対し、本実施形態であると、仕切り体５６，５８がふらふらした状態で閉扉しても、反対側の扉に当たって引っ掛からずに閉扉できる。
【００６２】
また、引き剥がし部材１０４の左引き剥がし片１１０と右引き剥がし片１１２が、開扉磁石８６と固定磁石９６を引き剥がすので、左右の仕切り体５６，５８が近づき互いに吸い寄せられて確実に磁着できる。仕切り体５６の閉扉磁石７８と開扉磁石８６がどちらも他の磁石に磁着していない状態は一瞬であり、仕切り体５６に連結している左内ガスケット３６の柔軟性により、その一瞬の間は十分な移動空間が左右両方の仕切り体５６，５８周辺に与えられているため、左右の仕切り体５６，５８の閉扉磁石７８が僅かにずれることによる反発は閉扉に影響を与えずに、左扉２４が閉じるのとほぼ同時に仕切り体５６，５８は磁着されて確実な閉扉状態となる。
【００６３】
また、完全な閉扉状態では左右の引き剥がし片１１０、１１２が左右一対の仕切り体５６、５８と接触しないので、組み付け時のバラツキなどの誤差によって不具合が生じることを防止できる。すなわち、完全な閉扉状態を実現しようとする場合に左引き剥がし片１１０と仕切体５６とが接触すると、製品のバラツキなどにより仕切体５６の位置が正常な位置よりも前方に押し出されることが考えられる。このような場合には、仕切体５６の位置が正常な位置からずれているために磁着した状態を安定して保持できないことが想定されるが、左引き剥がし片１１０が仕切り体５６と接触しないので、そのような事態を防止することができる。なお、右引き剥がし片１１２と仕切体５８の場合であっても同様である。
【００６４】
また、左内ガスケット３６と右内ガスケット４６とによって、左扉２４と右扉２６の隙間を簡単に塞ぐことができる。
【００６５】
また、仕切り体５６の溝６８に、左内ガスケット３６の突条６２を挿入するだけであるため、仕切り体５６と左内ガスケット３６を簡単に固定できる。
【００６６】
また、左内ガスケット３６の筒状本体と左下ガスケット３４の筒状本体と左上ガスケット３０の筒状本体とが形状が同じであるため、角部の溶着が簡単となる。
【００６７】
また、左内ガスケット３６や右内ガスケット４６から突出している突条６２がＴ字状であるため、挿入が簡単で外れ難い。また、仕切り体５６や仕切り体５８に設ける溝６８の溝断面を小さくでき、その小さくした分だけ仕切り体５６，５８の断熱を増やすことができる。
【００６８】
また、左扉２４と右扉２６の相対向する面は、左右一対の閉扉磁石７８，７８で磁着されているため、隙間を完全に塞ぐことができる。
【００６９】
また、閉扉磁石７８は、前後方向に互いに異なる極であるため、閉扉磁石７８の前後方向の寸法の半分の長さ程度が前後方向にずれると、左右の仕切り体５６，５８は反発するため、左右の仕切り体５６，５８が磁着することで左扉２４と右扉２６の前後方向に段差が発生しない。
【００７０】
また、閉扉磁石７８の上端と下端が傾斜しているため、Ｓ極とＮ極の挿入間違いがない。
【００７１】
また、開扉時には固定板９４の固定磁石９６と仕切り体５６の開扉磁石８６が磁着して固定するため、開扉時に仕切り体５６がふらふらしない。
【００７２】
また、開扉磁石８６の長さが閉扉磁石７８の長さの１／３であるため、閉扉時に開扉磁石８６が固定磁石９６から剥がれ易い。
【００７３】
また、仕切り体５６は、筒状の仕切り体本体７０と上部材７２と下部材７４とより構成されているため、仕切り体本体７０を押出成形による製造が可能であり、部品点数が減り、コスト削減と部品の合わせ部で発生する不具合の低減となる。
【００７４】
また、引き剥がし部材１０４の中引き剥がし片１０８、左引き剥がし片１１０、右引き剥がし片１１２によって、扉２４，２６の開閉を確実に行うことができる。
【００７５】
また、左右一対の閉扉磁石７８，７８の磁着が強い場合であっても、この中引き剥がし片１０８によって引き剥がされるため、反対側の扉も一緒に開かない。
【００７６】
また、左内ガスケット３６、右内ガスケット４６の縦ヒレ片６６が互いに接触して、閉扉状態では隙間を塞ぐため、冷気漏れを防ぐことができる。
【００７７】
また、閉扉時に縦ヒレ片６６が退避凹部８２に退避するため、左右の縦ヒレ片６６，６６が仕切り体５６，５８の間に挟まることがなく、左扉２４と右扉２６とは確実に閉めることができる。
【００７８】
また、縦ヒレ片６６の下部と横ヒレ片１０２が直角に交わるように当接されているので、縦ヒレ片６６を上下に区画しているので、冷気が下方に移動して縦ヒレ片６６の表面に霜が着くのを防止できる。
【００７９】
また、横ヒレ片１０２は、上部材７２と仕切り体本体７０を取り付けるときに挟む構造であるため、簡単に取り付けできる。
【００８０】
また、上部材７２から突出した係合突部１００が固定板９４の係合孔９８に係合しているため、左内ガスケット３６が軟質であっても仕切り体５６が落ちることない。
【００８１】
また、係合突部１００と係合孔９８が仕切り体５６の上部にあるため、仕切り体５６の全長のばらつきや冷却による縮みによって影響を受け難い。
【００８２】
また、係合突部１００は、係合孔９８の内寸の左右方向にしか移動しないため、仕切り体５６が固定板９４から大きくはみ出すことがなく、左扉２４を回転させてもその遠心力により飛び出したりしない。
【００８３】
また、仕切り体５６は突壁２８と遮蔽板９２によって覆われているため、仕切り体５６の隙間に冷気が入ることがなく、左扉２４の正面から熱漏れを防止できる。
【実施形態２】
【００８４】
次に、実施形態２の貯蔵庫について、図１８に基づいて説明する。実施形態１では冷蔵庫１０であるため、冷気の漏れを防止するために左内ガスケット３６と右内ガスケット４６に、仕切り体５６と仕切り体５８を取り付けていた。しかし、食器棚や家具などに用いられる観音開き式の左右一対の扉２４，２６であると、このようなガスケットは設けられていない。
【００８５】
そのため、図１８に示すように、本実施形態では、仕切り体５６と左扉２４の裏面外周部との間に縦板状の連結部材１１８を設けて左扉２４に仕切り体５６が移動可能なように連結する。連結部材１１８の後端部は、仕切り体５６の前面に回動自在に固定され、前端部は、左扉２４の裏面にも回動自在に固定されている。これによって、実施形態１の左内ガスケット３６と同様の働きをし、左扉２４を開閉できる。右扉２６についても同様に開閉できる。
【変更例】
【００８６】
上記実施形態では仕切り体５６に設けられた係合突部１００と左扉の遮蔽板９２に設けられた係合孔９８とが係合したが、これに代えて仕切り体５６に係合孔を設け、遮蔽板９２に係合突部１００を設けてもよい。
【００８７】
上記実施形態の仕切り体５６の磁石挿入部８０や仕切り体５８の磁石挿入部８０、又は、その周辺部を軟質製の合成樹脂で形成すれば、仕切り体５６や仕切り体５８に反りがあっても全長では隙間が出ないように磁着できる。
【００８８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００８９】
１０・・・冷蔵庫、１４・・・冷蔵室、２４・・・左扉、２６・・・右扉、３６・・・左内ガスケット、４６・・・右内ガスケット、５６・・・左側の仕切り体、５８・・・右側の仕切り体、６２・・・突起、６４・・・磁石挿入部、６６・・・縦ヒレ片
【図１】
2018059712.tif 000003
【図２】
2018059712.tif 000004
【図３】
2018059712.tif 000005
【図４】
2018059712.tif 000006
【図５】
2018059712.tif 000007
【図６】
2018059712.tif 000008
【図７】
2018059712.tif 000009
【図８】
2018059712.tif 000010
【図９】
2018059712.tif 000011
【図１０】
2018059712.tif 000012
【図１１】
2018059712.tif 000013
【図１２】
2018059712.tif 000014
【図１３】
2018059712.tif 000015
【図１４】
2018059712.tif 000016
【図１５】
2018059712.tif 000017
【図１６】
2018059712.tif 000018
【図１７】
2018059712.tif 000019
【図１８】
2018059712.tif 000020
【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
キャビネットに設けられた貯蔵室と、
前記貯蔵室に設けられた観音開き式の左右一対の扉と、
左右一対の前記扉が相対向する前記扉の裏面の縦辺に設けられた左右一対の縦弾性部材と、
左右一対の縦弾性部材の裏面にそれぞれ取り付けられ、左右一対の前記扉の隙間を塞ぐ左右一対の仕切り体と、
を有する貯蔵庫。